(57)【要約】      （修正有）【課題】振動によるマッサージ効果と、磁性体の磁力線を使用者の身体が動態切断することで身体内に形成される誘導起電力による血液循環促進効果を得られるようにした動態磁気エネルギー健康ベッドの提供。【解決手段】振動床体の床板上端面に複数の磁性体が嵌設され、並びに振動装置が設置れ、該振動装置が床体上に仰臥する使用者に周期性の往復移動振動を提供し、使用者の身体の各部位にこれら磁性体の磁力線に対する動態の切断を発生させ、磁力線を導体で切ることで誘導起電力を発生する発電原理により微弱電流を生成し、確実に血液循環の促進と振動マッサージの効果を達成する。【選択図】図１
0003112875.tif 000002
【実用新案登録請求の範囲】
【請求項１】
振動床体であって、該振動床体に振動装置と床板が設けられ、該床板上に仰臥する使用者に周期性の往復移動振動を形成させる、上記振動床体と、
振動装置であって、モータにより振動帯を駆動して周期性伝動を形成させるようにして構成され、該モータが振動床体の一端に設けられ、該振動帯が環状に該床板外周を被覆し、並びに二つの回転軸が該床板の二外端部分に設けられて振動帯に周期性の回転振動を形成させる、上記振動装置と、
床板であって、該振動床体上に設けられ、その上端板面に磁性体の嵌設に供される複数の収容孔が形成された、上記床板と、
複数の磁性体であって、磁力を具え、それぞれ該床板の収容孔に嵌設される、上記複数の磁性体と、
を具え、使用者が該床板上に仰臥して往復振動状態を呈する時、身体の各部位がこれら磁性体の磁力線に対して動態の切断を発生することにより、血液循環促進と振動マッサージの機能を達成することを特徴とする、動態磁気エネルギー健康ベッド。
【請求項２】
請求項１記載の動態磁気エネルギー健康ベッドにおいて、磁性体が床板に嵌設される時、磁性体の上端が床板板面より突出するか、或いは床板板面と揃えられたことを特徴とする、動態磁気エネルギー健康ベッド。
【請求項３】
請求項１又は請求項２記載の動態磁気エネルギー健康ベッドにおいて、磁性体の上端が床板板面より突出する時、床板上に仰臥する身体とこれら磁性体が接触し、振動装置に駆動されて往復振動することで温熱マッサージの機能を達成することを特徴とする、動態磁気エネルギー健康ベッド。
【請求項４】
請求項１記載の動態磁気エネルギー健康ベッドにおいて、振動床体上の床板末端の二側の所定位置に、別に支持調整ロッドが設けられ、振動床体のフレームにあって支持調整ロッドに対応する位置に位置決めブロックが設けられ、該位置決めブロックに複数の位置決め孔が設けられ、二つの支持調整ロッドの一端のこれら位置決め孔における固定位置の改変により床板高さと傾斜度が調整されることを特徴とする、動態磁気エネルギー健康ベッド。
【請求項５】
請求項１記載の動態磁気エネルギー健康ベッドにおいて、床板が複数の分離された独立床板で構成され、フレームにあって各独立床板の端部の二側に対応する位置に、これら独立床板を枢設、位置決めするための複数の枢設板が凸設され、二端に位置する独立床板がそれぞれ折り畳み調整の機能を具え、また独立床板の折り畳み時に振動帯が床板から外れる状況を防止するために、別に折り畳まれる独立床板の二側の枢設板より延伸板が凸設され、各延伸板にプレスロールが設けられて、該プレスロールが振動帯折り畳みの位置を制圧することを特徴とする、動態磁気エネルギー健康ベッド。
【考案の詳細な説明】
【技術分野】
【０００１】
本考案は一種のマッサージ器具の技術領域に属し、特に磁気エネルギーにマッサージを組み合わせたマッサージベッドに関する。
【背景技術】
【０００２】
健康意識の台頭、及び技術産業の向上に伴い、振動、マッサージを利用して人体血液循環を促進する目的のマッサージチェア或いはマッサージベッドが広く使用されるようになった。このようなマッサージ器材はその使用効果を向上するため、磁力場効果が加えられ、磁力場の形成は磁石或いは電磁エネルギーの二種類の方式で達成される。電磁場の周波数は人体に対して不良な影響を形成しやすいため、本考案の実施は磁石を標的とする。従来の磁石を利用したマッサージベッドのほとんどは顆粒状の磁石が直接床面に配設され、使用者がマッサージを受けると同時に、磁石の磁力線の誘導により、人体内部の血液循環を促進し、体内毒素の排出を加速して器官を回復させる機能を達成し、健康増進の目的を達成する。
【０００３】
ただし、一般にこのようなマッサージベッドは、使用者の身体と磁石が相対的に不動の状態にあり、このため各磁石の磁力線が人体内部の磁化物質を定点に吸着し、このため身体内部の血液循環作用を促進できず、逆効果を形成する可能性があり、健康増進に寄与しない。言い換えると、真に磁石に血液循環促進の目的を発揮させるためには、単純に磁石を身体に接触させるのではなく、電磁誘導原理、即ち、磁力線を切る導体に起電力が誘導される発電原理を利用して、人体内部の磁力線の切断により微弱電流を発生させる必要がある。人体は表層から内部まで、器官から細胞分子に至るまで血液が充満し、毛細血管、リンパ管、神経ネットワークが張りめぐらされ、外界磁力線と身体が相対運動を発生することで、磁力線が上述の身体内部を交錯する複雑な経路ネットワークと切断現象を発生する時、切断された磁力線に誘導されて微弱電流が発生し、このエネルギーが身体各部の循環システムの循環作用を強化し、これにより身体の新陳代謝を促進し、体内の毒素を排出することができる。
【０００４】
この観点に基づいて本出願人は本発明の基礎となる特許文献１を提出している。
【０００５】
【特許文献１】米国特許出願第１０／３５０，０７３号
【考案の開示】
【考案が解決しようとする課題】
【０００６】
ゆえに本考案は上述の周知の技術の欠点を改善した一種の動態磁気エネルギー健康ベッドを提供するものである。
【０００７】
即ち、本考案の主要な目的は、一種の動態磁気エネルギー健康ベッドを提供することにあり、それはマッサージベッド（或いはマッサージチェア）と磁性体を結合させ、振動によるマッサージ効果と、磁性体の磁力線を使用者の身体が動態切断することで身体内に形成される誘導起電力による血液循環促進効果を得られるようにしたものとする。
【０００８】
本考案の次の目的は、一種の動態磁気エネルギー健康ベッドを提供することにあり、それは周期性の往復振動及び摩擦作用により、使用者の身体循環システム機能促進を達成するものとする。
【課題を解決するための手段】
【０００９】
請求項１の考案は、振動床体であって、該振動床体に振動装置と床板が設けられ、該床板上に仰臥する使用者に周期性の往復移動振動を形成させる、上記振動床体と、
振動装置であって、モータにより振動帯を駆動して周期性伝動を形成させるようにして構成され、該モータが振動床体の一端に設けられ、該振動帯が環状に該床板外周を被覆し、並びに二つの回転軸が該床板の二外端部分に設けられて振動帯に周期性の回転振動を形成させる、上記振動装置と、
床板であって、該振動床体上に設けられ、その上端板面に磁性体の嵌設に供される複数の収容孔が形成された、上記床板と、
複数の磁性体であって、磁力を具え、それぞれ該床板の収容孔に嵌設される、上記複数の磁性体と、
を具え、使用者が該床板上に仰臥して往復振動状態を呈する時、身体の各部位がこれら磁性体の磁力線に対して動態の切断を発生することにより、血液循環促進と振動マッサージの機能を達成することを特徴とする、動態磁気エネルギー健康ベッドとしている。
請求項２の考案は、請求項１記載の動態磁気エネルギー健康ベッドにおいて、磁性体が床板に嵌設される時、磁性体の上端が床板板面より突出するか、或いは床板板面と揃えられたことを特徴とする、動態磁気エネルギー健康ベッドとしている。
請求項３の考案は、請求項１又は請求項２記載の動態磁気エネルギー健康ベッドにおいて、磁性体の上端が床板板面より突出する時、床板上に仰臥する身体とこれら磁性体が接触し、振動装置に駆動されて往復振動することで温熱マッサージの機能を達成することを特徴とする、動態磁気エネルギー健康ベッドとしている。
請求項４の考案は、請求項１記載の動態磁気エネルギー健康ベッドにおいて、振動床体上の床板末端の二側の所定位置に、別に支持調整ロッドが設けられ、振動床体のフレームにあって支持調整ロッドに対応する位置に位置決めブロックが設けられ、該位置決めブロックに複数の位置決め孔が設けられ、二つの支持調整ロッドの一端のこれら位置決め孔における固定位置の改変により床板高さと傾斜度が調整されることを特徴とする、動態磁気エネルギー健康ベッドとしている。
請求項５の考案は、請求項１記載の動態磁気エネルギー健康ベッドにおいて、床板が複数の分離された独立床板で構成され、フレームにあって各独立床板の端部の二側に対応する位置に、これら独立床板を枢設、位置決めするための複数の枢設板が凸設され、二端に位置する独立床板がそれぞれ折り畳み調整の機能を具え、また独立床板の折り畳み時に振動帯が床板から外れる状況を防止するために、別に折り畳まれる独立床板の二側の枢設板より延伸板が凸設され、各延伸板にプレスロールが設けられて、該プレスロールが振動帯折り畳みの位置を制圧することを特徴とする、動態磁気エネルギー健康ベッドとしている。
【考案の効果】
【００１０】
本考案の動態磁気エネルギー健康ベッドは振動床体の床板上端面に複数の磁性体が嵌設され、並びに振動装置が設置れ、該振動装置が床体上に仰臥する使用者に周期性の往復移動振動を提供し、使用者の身体の各部位にこれら磁性体の磁力線に対する動態の切断を発生させ、磁力線を導体で切ることで誘導起電力を発生する発電原理により微弱電流を生成し、確実に血液循環の促進と振動マッサージの効果を達成する。
【考案を実施するための最良の形態】
【００１１】
図１〜図５に示されるように、本考案の動態磁気エネルギー健康ベッドは、振動床体１０、及び振動床体１０に設けられた振動装置２０、床板１２、及び複数の磁性体３０で構成され、その主要な構造は出願人による前述の特許文献１に記載されたものとほぼ同じであるが、本考案はそれを更に改良したものである。本考案の各部品の詳細な構造について以下に説明する。
【００１２】
該振動床体１０は、フレーム１１及び該フレーム１１上に枢設された床板１２で構成され、且つ該床板１２が該フレーム１１に枢設される時、その末端は支持調整ロッド１３により支持位置決めされ、該フレーム１１の相互に対応する位置に位置決めブロック１４が設けられ、該位置決めブロック１４に複数の位置決め孔１４１が形成され、２つの支持調整ロッド１３の一端のこれら位置決め孔１４１に固定される位置の改変により、該床板１２の他さと傾斜度を調整できる機能が達成される。該床板１２の上端面に等間隔に複数の収容孔１２１が開設されてそれぞれ磁性体３０が収容され、また図９に示されるように、該床板１２はまた複数の分離された独立床板１２’が平行に枢設されてなるものとされてもよく、且つ該フレーム１１の各独立床板１２’の端辺に対応する二側の所定位置に、これら独立床板１２’を枢設、位置決めするための枢設板１５が設けられ、二端に位置する独立床板１２’それぞれが折り畳み調整の機能を具備するものとされ、また独立床板１２’の折り畳み時に、振動帯２２が床板１２よりはずれる状況を防止するため、別に折り畳まれる独立床板１２’に対応する二つの枢設板１５の板面より延伸板１５１が延伸され、且つ延伸板１５１にプレスロール１５２が枢設され、該プレスロール１５２が該振動帯２２の折り畳みの位置を制圧し、これによ振動帯２２の平らな状態が維持される。別に、本考案の該プレスロール１５２は該振動帯２２の二側の外側の所定位置を制圧するだけで、使用者の床板１２への仰臥に影響を与えない。
【００１３】
該振動装置２０はフレーム１１の一端に設けられ、並びにカバー２５で被覆され、それはモータ２１、振動帯２２、二つの回転軸２３、及びモータ２１運転時の各種周波数、振幅変化を制御するコントローラー２６等で構成され、該モータ２１はフレーム１１の前端の所定位置にモータ２１、該振動帯２２は環状を呈して該床板１２の外周部分を被覆し、更にベルト輪セット２４がモータ２１の伝動軸２１１と前端の回転軸２３の間にモータ２１、モータ２１の運転時に該振動帯２２を駆動し周期性の反復回転振動を形成させる。該コントローラー２６の所定位置に操作ボックス２７が接続されてモータ２１の振動周波数及び振幅モードの調整の用いられる。また、図５に示されるように、該モータ２１及びベルト輪セット２４がフレーム１１の前端に設けられる時は、床板１２と平行な水平方向に取り付けることもでき、これにより床板１２枢設の高さを低くすることができる。
【００１４】
磁性体３０は強力な磁力を有する永久磁石とされ、床板１２の収容孔１２１内に嵌設され、且つこれら磁性体３０が床板１２に嵌設される時、その一端は板面上に突出するか、或いは板面と揃えられた構造形態とされ、これら磁性体３０の嵌設構造の違いにより、本考案の使用機能もまた異なる（これについては後で詳細に説明する）。
【００１５】
本考案は上述の部品で構成され、使用者が該床板１２上方の振動帯２２の上に仰臥し、振動帯２２が往復振動状態を呈する時、その身体各部とこれら磁性体３０の磁力線が動態の切断を発生し、これにより発生する微弱電流による刺激効果が得られ、これにより最良の血液循環促進と振動按摩の効果が得られる。且つその効果は磁力線の強弱及び経絡ネットワーク切断の速度、周波数及び振幅の大きさに依存し、また身体経絡ネットワーク位置の磁力線分布及び移動方向も侵害の循環効果に影響を与える。以下に本考案を実際に使用した実施例について説明を行なう。
【００１６】
図６はモータ２１の運転開始時の回転速度／時間図である。そのうち、Ａ点でモータ２１の速度は零であり、運転開始時に、モータ２１の回転速度は弦波曲線駆動を受けて時計周り方向に回転し、時間がＢ点に至ると、モータ２１の時計回り回転速度は最高となり、且つＣ点を経過した後、モータ２１は再度別の弦波曲線駆動を受けて逆時計方向に回転し、Ｄ点に至ると、モータ２１の逆時計方向回転速度は最高となり、Ｄ点経過後、モータ２１の回転速度は下降開始し、Ｅ点に至ると、モータ２１の回転速度は再度Ａ点に戻る。こうして、モータ２１が一定時間内に規律的に順、逆時計方向に回転し、振動帯２２を駆動して反復動作させると共に、使用者の身体を駆動して往復して左右に振動させ、これら磁性体３０の磁力線と使用者の身体に動態切断を形成させ、微弱電流の刺激効果を発生し、血液循環促進の目的を達成する。当然振動の速度が速いほど発生する電流刺激効果は良好となり、これが本考案の発生する効果の一つである。
【００１７】
更に、本考案の第２種の効果は上述の効果から派生したものであり、図７もまた本考案のモータ２１の運転開始時の回転速度／時間図であり、図６との違いは、モータ２１の回転が回転速度Ｗ１とＷ２の回転速度の合成とされ、即ち、モータ２１が原地往復振動せず、一辺が振動し一辺が慢速移動する運転状態を現出し、時間がＡとＢの間の時、モータ２１の運転はＷ１の慢速順時計方向移動中に、高周波数の振動が加えられ、時間がＢとＣの間の時、モータ２１はＷ２で逆時計方向に回転して更に高周波数の振動が加えられる。この目的は、身体に磁性体３０の磁力線と動態切断作用を形成させることにあり、単点反応から線形の反応に拡大されることで、経絡ネットワーク循環方向上にあって更に良好な循環効果を発生することができる。
【００１８】
また、上述の振動現象は使用者の身体に磁力線を切らせて経絡ネットワークに微弱電流を発生させるほか、全身の筋肉及び器官に振動中にマッサージの効果を発生させ、この機械式振動マッサージの効果もまた身体の血液循環を促進し、更に循環促進の効果を高め、これが本考案の第３の使用効果である。
【００１９】
最後に、図８に示されるように、本考案は実施例の使用変化上、磁性体３０が床板１２上端より突出する構造形態とされる時、使用者が床板１２上に仰臥すると、その身体はこれら磁性体３０と接触し、モータ２１の運転により使用者の身体が磁性体３０と摩擦により発熱し、この温熱現象が該磁性体３０と接触する身体部位に伝導され、鍼灸原理と同様の温熱効果を達成し、虚弱体質の患者に相当に有益であり、これは本考案の具備する第４の効果である。
【００２０】
上述の多種類の機能の同時作用を通して、本考案は身体の各種循環システム促進の機能上、更に相乗効果を有し、確実に身体の新陳代謝を促進し、各器官の機能を回復させ、有効に体内毒素を排出させ、疲労を解消し、神経をリラックスさせる等の実用効果を有している。
【００２１】
総合すると、本考案の動態磁気エネルギー健康ベッドは極めて実用性と進歩性を有する設計であり、実用新案登録の要件に符合する。
【図面の簡単な説明】
【００２２】
【図１】本考案の組合せ外観図である。
【図２】本考案の床板表示図である。
【図３】本考案の組合せ断面図である（磁性体上端と床板上面が揃えられた構造）。
【図４】本考案の別の組合せ断面図である（磁性体上端が床板上面より突出する構造）。
【図５】本考案の振動装置の別の構造表示図である。
【図６】本考案のモータの運転開始時の回転速度／時間図である。
【図７】本考案のモータの別の運転開始時の回転速度／時間図である。
【図８】本考案の使用実施例図である。
【図９】本考案の別の実施例図である。
【符号の説明】
【００２３】
１０  振動床体              １１  フレーム
１２  床板                  １２’  独立床板
１２１  収容孔              １３  支持調整ロッド
１４  位置決めブロック      １４１  位置決め孔
１５  枢設板                １５１  延伸板
１５２  プレスロール        ２０  振動装置
２１  モータ                ２１１  伝動軸
２２  振動帯                ２３  回転軸
２４  ベルト輪セット        ２５  カバー
２６  コントローラー        ２７  操作ボックス
３０  磁性体
【図１】
0003112875.tif 000003
【図２】
0003112875.tif 000004
【図３】
0003112875.tif 000005
【図４】
0003112875.tif 000006
【図５】
0003112875.tif 000007
【図６】
0003112875.tif 000008
【図７】
0003112875.tif 000009
【図８】
0003112875.tif 000010
【図９】
0003112875.tif 000011